【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
デジタルビデオイメージの現在のブロックの水平及び垂直動きベクトル成分のそれぞれを差分符号化するのに使用する水平及び垂直動きベクトル成分を与えるための方法であって、
第１、第２及び第３の候補ブロックが、関連する水平及び垂直動きベクトルを有し、
前記第１の候補ブロックが、現在の行内の前記現在のブロックの直前の第１のマクロブロックの少なくとも一部であり、
前記第２の候補ブロックが、前の行内の前記現在のブロックの直ぐ上の第２のマクロブロックの少なくとも一部であり、
前記第３の候補ブロックが、前の行内の前記第２のマクロブロックの直後の第３のマクロブロックの少なくとも一部であり、
前記第１、第２、第３の候補ブロック及び前記現在のブロックの少なくとも一つがフィールド符号化される、
ところの当該方法が、
（a）前記第１、第２及び第３の候補ブロックの水平動きベクトル成分から導出される値に従って、前記現在のブロックの水平動きベクトル成分を差分符号化するのに使用する水平動きベクトル成分を選択する工程と、
（b）前記第１、第２及び第３の候補ブロックの垂直動きベクトル成分から導出される値に従って、前記現在のブロックの垂直動きベクトル成分を差分符号化するのに使用する垂直動きベクトル成分を選択する工程、
の少なくとも一つの工程を含む、ところの方法。
【請求項２】
請求項１に記載の方法であって、
前記第１、第２及び第３のマクロブロックの少なくとも特定の一つが、複数のブロックを含み、その各々が、前記現在のブロックの前記動きベクトル成分を差分符号化する際の使用に適した関連する水平及び垂直動きベクトル成分を有し、当該方法が、さらに、
特定のマクロブロックの候補ブロックとして、前記現在のブロックの左上部分に最も近い前記特定のマクロブロック内の複数のブロックの一つを選択する工程を含むところの方法。
【請求項３】
請求項１又は２に記載の方法であって、さらに、
前記現在のブロックがフィールド符号化されたか否かを示す前記少なくとも一つの差分符号化動きベクトル成分とともに伝送するためのデータを与える工程を含むところの方法。
【請求項４】
請求項１から３のいずれか一つに記載の方法であって、
前記現在のブロックが、プログレッシブ符号化又はアドバンスド予測符号化ブロックであり、
前記候補ブロックのうちの少なくとも一つが、第１及び第２フィールドを有するフィールド符号化候補マクロブロックであり、前記フィールドの各々が、水平及び垂直動きベクトルを有する、
ところの方法。
【請求項５】
請求項４に記載の方法であって、
水平動きベクトル成分を選択する前記工程が、前記少なくとも一つのフィールド符号化候補マクロブロックの前記第１及び第２フィールドの前記対応する水平動きベクトル成分を含む、前記候補ブロックの水平動きベクトル成分の中央値に従って選択を行い、
垂直動きベクトル成分を選択する前記工程が、前記少なくとも一つのフィールド符号化候補マクロブロックの前記第１及び第２のフィールドの前記対応する垂直動きベクトル成分を含む、前記候補ブロックの垂直動きベクトル成分の中央値に従って選択を行う、
ところの方法。
【請求項６】
請求項４又は５に記載の方法であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化する工程であって、
水平動きベクトル成分を選択する前記工程が、少なくとも一つのフィールド符号化候補マクロブロック以外の前記候補ブロックの水平動きベクトル成分、及び前記少なくとも一つの対応する平均化水平動きベクトル成分、の中央値に従って選択を行う、ところの工程、及び
少なくとも一つの対応する平均化垂直動きベクトル成分を得るために、少なくとも一つのフィールド符号化候補マクロブロックのそれぞれの第１及び第２フィールド垂直動きベクトル成分を平均化する工程であって、
垂直動きベクトル成分を選択する前記工程が、前記少なくとも一つのフィールド符号化候補マクロブロック以外の前記候補ブロックの垂直動きベクトル成分、及び前記少なくとも一つの対応する平均化垂直動きベクトル成分、の中央値に従って選択を行う、
ところの工程、
を含むところの方法。
【請求項７】
請求項６に記載の方法であって、
すべてのフラクション画素オフセットが半画素変位でマッピングされるように、少なくとも一つのフィールド符号化候補マクロブロックの第１及び第２フィールドの水平動きベクトル成分が平均化され、
すべてのフラクション画素オフセットが半画素変位でマッピングされるように、少なくとも一つのフィールド符号化候補マクロブロックの第１及び第２フィールドの垂直動きベクトル成分が平均化される、
ところの方法。
【請求項８】
請求項１から３のいずれか一つに記載の方法であって、
前記現在のブロックが、第１及び第２フィールドを有するフィールド符号化マクロブロックであり、前記第１及び第２フィールドの各々が、水平及び垂直動きベクトル成分を有し、
当該方法が、さらに、
前記第１、第２及び第３の候補ブロックの水平動きベクトル成分から導出される値に従って、前記現在のフィールド符号化マクロブロックの前記第１及び第２フィールドの前記水平動きベクトル成分を差分符号化するのに使用するための水平動きベクトル成分を選択する工程、及び
前記第１、第２及び第３の候補ブロックの垂直動きベクトル成分から導出される値に従って、前記現在のフィールド符号化マクロブロックの前記第１及び第２フィールドの前記垂直動きベクトル成分を差分符号化するのに使用するための垂直動きベクトル成分を選択する工程、
を含むところの方法。
【請求項９】
請求項８に記載の方法であって、
前記候補ブロックのうちの少なくとも一つが、第１及び第２フィールドを有するフィールド符号化候補マクロブロックであり、前記第１及び第２フィールドの各々が、水平及び垂直動きベクトル成分を有する、
ところの方法。
【請求項１０】
請求項９に記載の方法であって、
水平動きベクトル成分を選択する前記工程が、（i）前記少なくとも一つのフィールド符号化候補マクロブロック以外の前記候補ブロックの水平動きベクトル成分、及び（ii）前記少なくとも一つのフィールド符号化候補マクロブロックの第１フィールドの水平動きベクトル成分、の中央値に従って前記現在のマクロブロックの前記第１フィールドの前記水平動きベクトル成分を符号化するための選択を行い、
水平動きベクトル成分を選択する前記工程が、（i）前記少なくとも一つのフィールド符号化候補マクロブロック以外の前記候補ブロックの水平動きベクトル成分、及び（ii）前記少なくとも一つのフィールド符号化候補マクロブロックの第２フィールドの水平動きベクトル成分、の中央値に従って前記現在のマクロブロックの前記第２フィールドの前記水平動きベクトル成分を符号化するための選択を行い、
垂直動きベクトル成分を選択する前記工程が、（i）前記少なくとも一つのフィールド符号化候補マクロブロック以外の前記候補ブロックの垂直動きベクトル成分、及び（ii）前記少なくとも一つのフィールド符号化候補マクロブロックの第１フィールドの垂直動きベクトル成分、の中央値に従って前記現在のマクロブロックの前記第１フィールドの前記垂直動きベクトル成分を符号化するための選択を行い、
垂直動きベクトル成分を選択する前記工程が、（i）前記少なくとも一つのフィールド符号化候補マクロブロック以外の前記候補ブロックの垂直動きベクトル成分、及び（ii）前記少なくとも一つのフィールド符号化候補マクロブロックの第２フィールドの垂直動きベクトル成分、の中央値に従って前記現在のマクロブロックの前記第２フィールドの前記垂直動きベクトル成分を符号化するための選択を行う、
ところの方法。
【請求項１１】
請求項９に記載の方法であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化する工程であって、
前記現在のマクロブロックの少なくとも一つの前記第１及び第２フィールドの水平動きベクトル成分を差分符号化するのに使用するための選択した水平動きベクトル成分が、（i）前記少なくとも一つのフィールド符号化候補マクロブロック以外の前記候補ブロックの水平動きベクトル成分、及び（ii）前記少なくとも一つの対応する平均化水平動きベクトル成分、の中央値に従って決定される、ところの工程、及び
少なくとも一つの対応する平均化垂直動きベクトル成分を得るために、少なくとも一つのフィールド符号化候補マクロブロックのそれぞれの第１及び第２フィールド垂直動きベクトル成分を平均化する工程であって、
前記現在のマクロブロックの少なくとも一つの前記第１及び第２のフィールド垂直動きベクトル成分を差分符号化するのに使用するための選択した垂直動きベクトル成分が、（i）前記少なくとも一つのフィールド符号化候補マクロブロック以外の前記候補ブロックの垂直動きベクトル成分、及び（ii）前記少なくとも一つの対応する平均化垂直動きベクトル成分、の中央値に従って決定される、ところの工程、
を含む方法。
【請求項１２】
請求項１１に記載の方法であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの方法。
【請求項１３】
デジタルビデオイメージデータの現在のブロックを復号化するための方法であって、
前記現在のブロックが、関連した差分符号化水平及び垂直動きベクトル成分を有し、
当該方法が、
（a）  第１、第２及び第３の候補ブロックの水平動きベクトル成分に基づいた値に従って前記現在のブロックの前記水平動きベクトル成分を差分符号化するのに使用される水平動きベクトル成分を決定する工程、及び
（b）  前記第１、第２及び第３の候補ブロックの垂直動きベクトル成分に基づいた値に従って前記現在のブロックの前記垂直動きベクトル成分を差分符号化するのに使用される垂直動きベクトル成分を決定する工程、
のうちの少なくとも一つの工程を含み、
前記第１の候補ブロックが、現在の行内の前記現在のブロックの直前の第１マクロブロックの少なくとも一部であり、
前記第２の候補ブロックが、前の行内の前記現在のブロックの直ぐ上の第２マクロブロックの少なくとも一部分であり、
前記第３の候補ブロックが、前記前の行内の前記第２マクロブロックの直後の第３のマクロブロックの少なくとも一部分であり、
前記第１、第２及び第３の候補ブロック及び前記現在のブロックのうちの少なくとも一つが、フィールド符号化される、
ところの方法。
【請求項１４】
請求項１３に記載の方法であって、
前記現在のブロックが、プログレッシブ符号化又はアドバンスド予測符号化ブロックであり、
前記候補ブロックのうちの少なくとも一つが、第１及び第２フィールドを有するフィールド符号化候補マクロブロックであり、前記第１及び第２フィールドの各々が、水平及び垂直動きベクトル成分を有する、
ところの方法。
【請求項１５】
請求項１４に記載の方法であって、
前記現在のマクロブロックの前記第１フィールドの水平動きベクトル成分を符号化するのに使用される水平動きベクトル成分が、（i）前記少なくとも一つのフィールド符号化候補マクロブロック以外の前記候補ブロックの水平動きベクトル成分、及び（ii）前記少なくとも一つのフィールド符号化候補マクロブロックの第１フィールドの水平動きベクトル成分、の中央値に従って決定され、
前記現在のマクロブロックの前記第２フィールドの水平動きベクトル成分を符号化するのに使用される水平動きベクトル成分が、（i）前記少なくとも一つのフィールド符号化候補マクロブロック以外の前記候補ブロックの水平動きベクトル成分、及び（ii）前記少なくとも一つのフィールド符号化候補マクロブロックの第２フィールドの水平動きベクトル成分、の中央値に従って決定され、
前記現在のマクロブロックの前記第１フィールドの垂直動きベクトル成分を符号化するのに使用される垂直動きベクトル成分が、（i）前記少なくとも一つのフィールド符号化候補マクロブロック以外の前記候補のブロックの垂直動きベクトル成分、及び（ii）前記少なくとも一つのフィールド符号化候補マクロブロックの第１フィールドの垂直動きベクトル成分、の中央値に従って決定され、
前記現在のマクロブロックの前記第２フィールドの垂直動きベクトル成分を符号化するのに使用される垂直動きベクトル成分が、（i）前記少なくとも一つのフィールド符号化候補マクロブロック以外の前記候補のブロックの垂直動きベクトル成分、及び（ii）前記少なくとも一つのフィールド符号化候補マクロブロックの第２フィールドの垂直動きベクトル成分、の中央値に従って決定される、
ところの方法。
【請求項１６】
請求項１４又は１５に記載の方法であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化する工程であって、
前記現在のマクロブロックの少なくとも一つの前記第１及び第２フィールドの水平動きベクトル成分を差分符号化するのに使用される水平動きベクトル成分が、（i）前記少なくとも一つのフィールド符号化候補マクロブロック以外の前記候補のブロックの水平動きベクトル成分、及び（ii）前記少なくとも一つの対応する平均化水平動きベクトル成分、の中央値に従って決定される、
ところの工程と、
少なくとも一つの対応する平均化垂直動きベクトル成分を得るために、少なくとも一つのフィールド符号化候補マクロブロックのそれぞれ第１及び第２フィールド垂直動きベクトル成分を平均化する工程であって、
前記現在のマクロブロックの少なくとも一つの前記第１及び第２フィールドの垂直動きベクトル成分を差分符号化するのに使用される垂直動きベクトル成分が、（i）前記少なくとも一つのフィールド符号化候補マクロブロック以外の前記候補のブロックの垂直動きベクトル成分、及び（ii）前記少なくとも一つの対応する平均化垂直動きベクトル成分、の中央値に従って決定される、
ところの工程と、
を含むところの方法。
【請求項１７】
請求項１６に記載の方法であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの方法。
【請求項１８】
請求項１３から１７のいずれかに記載の方法であって、
前記現在のブロックが、第１及び第２フィールドを有するフィールド符号化マクロブロックであり、前記第１及び第２フィールドの各々が、水平及び垂直動きベクトル成分を有し、
当該方法が、さらに、
前記第１、第２及び第３の候補ブロックの水平動きベクトル成分に基づいた値に従って前記現在のフィールド符号化マクロブロックの前記第１及び第２フィールドの前記水平動きベクトル成分を差分符号化するのに使用される水平動きベクトル成分を決定する工程、及び
前記第１、第２及び第３の候補ブロックの垂直動きベクトル成分に基づいた値に従って前記現在のフィールド符号化マクロブロックの前記第１及び第２フィールドの前記垂直動きベクトル成分を差分符号化するのに使用される垂直動きベクトル成分を決定する工程、
を含むところの方法。
【請求項１９】
請求項１８に記載の方法であって、
少なくとも一つの前記候補ブロックが、第１及び第２フィールドを有するフィールド符号化マクロブロックであり、前記第１及び第２フィールドの各々が、水平及び垂直動きベクトル成分を有する、
ところの方法。
【請求項２０】
請求項１９に記載の方法であって、
前記現在のフィールド符号化マクロブロックの少なくとも一つの前記第１及び第２フィールドの前記水平動きベクトル成分を差分符号化するのに使用される水平動きベクトル成分が、前記少なくとも一つのフィールド符号化候補マクロブロックの前記第１及び第２フィールドの前記対応する水平動きベクトル成分を含む、前記候補ブロックの水平動きベクトル成分の中央値に従って決定され、
前記現在のフィールド符号化マクロブロックの少なくとも一つの前記第１及び第２フィールドの前記垂直動きベクトル成分を差分符号化するのに使用される垂直動きベクトル成分が、前記少なくとも一つのフィールド符号化候補マクロブロックの前記第１及び第２フィールドの前記対応する垂直動きベクトル成分を含む、前記候補ブロックの垂直動きベクトル成分の中央値に従って決定される、
ところの方法。
【請求項２１】
請求項１９に記載の方法であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化する工程であって、
前記現在のフィールド符号化マクロブロックの前記第１及び第２フィールドの前記水平動きベクトル成分を差分符号化するのに使用される前記水平動きベクトル成分が、前記少なくとも一つのフィールド符号化候補マクロブロック以外の前記候補ブロックの水平動きベクトル成分、及び前記少なくとも一つの対応する平均化水平動きベクトル成分、の中央値に従って決定される、
ところの工程、及び
少なくとも一つの対応する平均化垂直動きベクトル成分を得るために、少なくとも一つのフィールド符号化候補マクロブロックのそれぞれの第１及び第２フィールド垂直動きベクトル成分を平均化する工程であって、
前記現在のフィールド符号化マクロブロックの前記第１及び第２フィールドの前記垂直動きベクトル成分を差分符号化するのに使用される前記垂直動きベクトル成分が、前記少なくとも一つのフィールド符号化候補マクロブロック以外の前記候補ブロックの垂直動きベクトル成分、及び前記少なくとも一つの対応する平均化垂直動きベクトル成分、の中央値に従って決定される、
ところの工程、
を含むところの方法。
【請求項２２】
請求項２１に記載の方法であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの方法。
【請求項２３】
請求項１３から２２のいずれかに記載の方法であって、
前記現在のブロックの前記水平動きベクトル成分を差分符号化するのに使用される水平動きベクトル成分が、前記第１、第２及び第３の候補ブロックの水平動きベクトル成分の中央値に従って決定され、
前記現在のブロックの前記垂直動きベクトル成分を差分符号化するのに使用される垂直動きベクトル成分が、前記第１、第２及び第３の候補ブロックの水平動きベクトル成分の中央値に従って決定される、
ところの方法。
【請求項２４】
請求項１３から２３のいずれかに記載の方法であって、さらに、
候補ブロックに関連した前記水平及び垂直動きベクトル成分を回復するために前記第１、第２及び第３の候補ブロックを復号化する工程、
を含む方法。
【請求項２５】
請求項１３から２４のいずれかに記載の方法であって、さらに、
前記現在のブロックがフィールド符号化されたか否かを示す前記少なくとも一つの差分符号化動きベクトル成分とともに伝送されたデータを回復する工程、
を含むところの方法。
【請求項２６】
請求項２５に記載の方法であって、
前記現在のブロックの動きベクトル成分を差分符号化するのに使用される動きベクトル成分と同一であるように、前記符号化モードが、前記第１、第２及び第３の候補ブロックのうちの一つの動きベクトル成分を指定する、ところの方法。
【請求項２７】
デジタルビデオイメージが行ごとに処理されるマクロブロックから成るところの請求項１３から２６のいずれかに記載の方法であって、さらに、
関連した前記水平及び垂直動きベクトル成分を回復するために、前記前の行内の前記第２及び第３マクロブロックを処理する工程、
前記第２及び第３のマクロブロックに関連した前記水平及び垂直動きベクトル成分を保存する工程、
関連した前記水平及び垂直動きベクトル成分を回復するために、前記現在の行内の前記第１マクロブロックを処理する工程、及び
前記決定工程の少なくとも一つで使用するための前記第２及び第３のマクロブロックに関連した前記水平及び垂直動きベクトル成分をその後検索する工程、
を含むところの方法。
【請求項２８】
パッディングされた参照フィールドオブジェクト平面(VOP)を与えるべく、インターリーブした順序で保持されたトップ及びボトムフィールド画素ラインから成るフィールド符号化VOPを含むデジタルビデオイメージをパッディングするための方法であって、前記VOPは、前記VOPの境界画素の外側の画素を含む領域内に少なくとも一部が保持されており、当該方法が、
前記トップフィールド画素ラインを含むトップフィールドブロックと、前記ボトムフィールド画素ラインを含むボトムフィールドブロックとを与えるために、前記インターリーブした順序の前記トップ及びボトムフィールド画素ラインを処理する工程、及び
それぞれのトップ及びボトムフィールドブロック内で前記外側の画素を別々にパッディングする工程、
から成る方法。
【請求項２９】
請求項２８に記載の方法であって、さらに、
前記インターリーブした順序で前記パッディングされた外側の画素を含む前記トップ及びボトムフィールド画素ラインを処理する工程、
を含むところの方法。
【請求項３０】
請求項２８又は２９に記載の方法であって、
前記外側の画素のうちの特定の一つが、対応するフィールドブロック内で、前記VOPの前記境界画素の二つの間に位置するとき、
前記パッディング工程は、さらに、
前記二つの境界画素の平均に従う値を前記外側の画素の前記特定の一つに割り当てる工程を含むところの方法。
【請求項３１】
請求項２８又は２９に記載の方法であって、
前記外側の画素のうちの特定の一つが、対応するフィールドブロック内の前記VOPの前記境界画素の二つの間ではなく、対応するフィールドブロック内の前記領域の縁部と前記VOPの前記境界画素の一つとの間に位置するとき、
前記パッディング工程は、さらに
前記境界画素の前記一つに従う値を前記外側の画素の前記特定の一つに割り当てる工程を含むところの方法。
【請求項３２】
請求項２８又は２９に記載の方法であって、
前記外側の画素のうちの特定の一つが、対応するフィールドブロック内の前記領域の縁部と前記VOPの前記境界画素の一つとの間ではなく、また、対応するフィールドブロック内の前記VOPの前記境界画素の二つの間でもなく、対応するフィールドブロック内の前記領域の二つの縁部の間に位置するとき、
前記パッディング工程は、さらに
（a）  対応するフィールドブロック内の前記領域で水平に移動する前記外側の画素の前記特定の一つに最も近いパッディングされた外側の画素、及び
（b）  対応するフィールドブロック内の前記領域で垂直に移動する前記外側の画素の前記特定の一つに最も近いパッディングされた外側の画素、
の少なくとも一つに従う値を前記外側の画素の前記特定の一つに割り当てる工程を含むところの方法。
【請求項３３】
デジタルビデオイメージの現在のブロックのそれぞれの水平及び垂直動きベクトル成分を差分符号化するのに使用するための水平及び垂直動きベクトル成分を与えるための装置であって、
第１、第２及び第３の候補ブロックが、関連する水平及び垂直動きベクトルを有し、
前記第１の候補ブロックが、現在の行内の前記現在のブロックの直前の第１マクロブロックの少なくとも一部であり、
前記第２の候補ブロックが、前の行内の前記現在のブロックの直ぐ上の第２マクロブロックの少なくとも一部であり、
前記第３の候補ブロックが、前記前の行内の前記第２マクロブロックの直後の第３マクロブロックの少なくとも一部であり、
前記第１、第２及び第３の候補ブロック、及び前記現在のブロックのうちの少なくとも一つがフィールド符号化されている、ところの当該装置が、
（a）  前記第１、第２及び第３の候補ブロックの水平動きベクトル成分から導出される値に従って、前記現在のブロックの水平動きベクトル成分を差分符号化するのに使用するための水平動きベクトル成分を選択するための手段、及び
（b）  前記第１、第２及び第３の候補ブロックの垂直動きベクトル成分から導出される値に従って、前記現在のブロックの垂直動きベクトル成分を差分符号化するのに使用するための垂直動きベクトル成分を選択するための手段、
の少なくとも一つから成るところの装置。
【請求項３４】
請求項３３に記載の装置であって、
前記第１、第２及び第３のマクロブロックの少なくとも特定の一つが、複数のブロックから成り、
該複数のブロックの各々が、前記現在のブロックの前記動きベクトル成分を差分符号化するのに使用するために適した関連する水平及び垂直動きベクトル成分を有し、当該装置が、さらに、
特定のマクロブロックの候補ブロックとして、前記現在のブロックの左上部分に最も近い前記特定のマクロブロック内の前記複数のブロックのうちの一つを選択するための手段を含むところの装置。
【請求項３５】
請求項３３又は３４に記載の装置であって、さらに、
前記現在のブロックがフィールド符号化されたか否かを示す、少なくとも一つの差分符号化動きベクトル成分とともに伝送するためのデータを与えるための手段を含むところの装置。
【請求項３６】
請求項３３から３５のいずれかに記載の装置であって、
前記現在のブロックが、プログレッシブ符号化又はアドバンスド予測符号化ブロックであり、
前記候補ブロックの少なくとも一つが、第１及び第２フィールドを有するフィールド符号化候補マクロブロックであり、前記フィールドの各々が、水平及び垂直動きベクトル成分を有する、
ところの装置。
【請求項３７】
請求項３６に記載の装置であって、
水平動きベクトル成分を選択するための前記手段が、前記少なくとも一つのフィールド符号化候補マクロブロックの前記第１及び第２フィールドの前記対応する水平動きベクトル成分を含む、前記候補ブロックの水平動きベクトル成分の中央値に従って選択を行い、
垂直動きベクトル成分を選択するための前記手段が、前記少なくとも一つのフィールド符号化候補マクロブロックの前記第１及び第２フィールドの前記対応する垂直動きベクトル成分を含む、前記候補ブロックの垂直動きベクトル成分の中央値に従って選択を行う、
ところの装置。
【請求項３８】
請求項３６に記載の装置であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化するための手段であって、
水平動きベクトル成分を選択するための前記手段が、前記少なくとも一つのフィールド符号化候補マクロブロック以外の前記候補ブロックの水平動きベクトル成分、及び前記少なくとも一つの対応する平均化水平動きベクトル成分、の中央値に従って選択を行う、
ところの手段、及び
少なくとも一つの対応する平均化垂直動きベクトル成分を得るために、少なくとも一つのフィールド符号化候補マクロブロックのそれぞれの第１及び第２フィールド垂直動きベクトル成分を平均化するための手段であって、
垂直動きベクトル成分を選択するための前記手段が、前記少なくとも一つのフィールド符号化候補マクロブロック以外の前記候補ブロックの垂直動きベクトル成分、及び前記少なくとも一つの対応する平均化垂直動きベクトル成分、の中央値に従って選択を行う、
ところの手段、
を含むところの装置。
【請求項３９】
請求項３８に記載の装置であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの装置。
【請求項４０】
請求項３３から３５のいずれかに記載の装置であって、
前記現在のブロックが、第１及び第２フィールドを有するフィールド符号化マクロブロックであり、前記第１及び第２フィールドの各々が、水平及び垂直動きベクトル成分を有し、
水平動きベクトル成分を選択する前記手段が、前記第１、第２及び第３の候補ブロックの水平動きベクトル成分から導出される値に従って、前記現在のフィールド符号化マクロブロックの前記第１及び第２フィールドの前記水平動きベクトル成分を差分符号化するのに使用するための水平動きベクトル成分を選択し、
垂直動きベクトル成分を選択する前記手段が、前記第１、第２及び第３の候補ブロックの垂直動きベクトル成分から導出される値に従って、前記現在のフィールド符号化マクロブロックの前記第１及び第２フィールドの前記垂直動きベクトル成分を差分符号化するのに使用するための垂直動きベクトル成分を選択する、
ところの装置。
【請求項４１】
請求項４０に記載の装置であって、
前記候補ブロックの少なくとも一つが、第１及び第２フィールドを有するフィールド符号化候補マクロブロックであり、前記第１及び第２フィールドの各々が、水平及び垂直動きベクトル成分を有する、
ところの装置。
【請求項４２】
請求項４１に記載の装置であって、
水平動きベクトル成分を選択するための前記手段が、（i）前記少なくとも一つのフィールド符号化候補マクロブロック以外の前記候補ブロックの水平動きベクトル成分、及び（ii）前記少なくとも一つのフィールド符号化候補マクロブロックの第１フィールドの水平動きベクトル成分、の中央値に従って前記現在のマクロブロックの前記第１フィールドの前記水平動きベクトル成分を符号化するために選択を行い、
水平動きベクトル成分を選択するための前記手段が、（i）前記少なくとも一つのフィールド符号化候補マクロブロック以外の前記候補ブロックの水平動きベクトル成分、及び（ii）前記少なくとも一つのフィールド符号化候補マクロブロックの第２フィールドの水平動きベクトル成分、の中央値に従って前記現在のマクロブロックの前記第２フィールドの前記水平動きベクトル成分を符号化するために選択を行い、
垂直動きベクトル成分を選択するための前記手段が、（i）前記少なくとも一つのフィールド符号化候補マクロブロック以外の前記候補ブロックの垂直動きベクトル成分、及び（ii）前記少なくとも一つのフィールド符号化候補マクロブロックの第１フィールドの垂直動きベクトル成分、の中央値に従って前記現在のマクロブロックの前記第１フィールドの前記垂直動きベクトル成分を符号化するために選択を行い、
垂直動きベクトル成分を選択するための前記手段が、（i）前記少なくとも一つのフィールド符号化候補マクロブロック以外の前記候補ブロックの垂直動きベクトル成分、及び（ii）前記少なくとも一つのフィールド符号化候補マクロブロックの第２フィールドの垂直動きベクトル成分、の中央値に従って前記現在のマクロブロックの前記第２フィールドの前記垂直動きベクトル成分を符号化するために選択を行う、
ところの装置。
【請求項４３】
請求項４１又は４２に記載の装置であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化するための手段であって、
前記現在のマクロブロックの少なくとも一つの前記第１及び第２フィールドの水平動きベクトル成分を差分符号化するのに使用するために選択した水平動きベクトル成分が、（i）前記少なくとも一つのフィールド符号化候補マクロブロック以外の前記候補ブロックの水平動きベクトル成分、及び（ii）前記少なくとも一つの対応する平均化水平動きベクトル成分、の中央値に従って決定される、ところの手段、及び
少なくとも一つの対応する平均化垂直動きベクトル成分を得るために、少なくとも一つのフィールド符号化候補マクロブロックのそれぞれの第１及び第２フィールド垂直動きベクトル成分を平均化するための手段であって、
前記現在のマクロブロックの少なくとも一つの前記第１及び第２フィールドの垂直動きベクトル成分を差分符号化するのに使用するために選択した垂直動きベクトル成分が、（i）前記少なくとも一つのフィールド符号化候補マクロブロック以外の前記候補ブロックの垂直動きベクトル成分、及び（ii）前記少なくとも一つの対応する平均化垂直動きベクトル成分、の中央値に従って決定される、ところの手段、
を含むところの装置。
【請求項４４】
請求項４３に記載の装置であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの装置。
【請求項４５】
デジタルビデオイメージデータの現在のブロックを復号化するための装置であり、前記現在のブロックが、関連した差分符号化水平及び垂直動きベクトル成分を有するところの装置であって、
（a）  第１、第２及び第３の候補ブロックの水平動きベクトル成分に基づいた値に従って前記現在のブロックの前記水平動きベクトル成分を差分符号化するのに使用される水平動きベクトル成分を決定するための手段、及び、
（b）  前記第１、第２及び第３の候補ブロックの垂直動きベクトル成分に基づいた値に従って前記現在のブロックの前記垂直動きベクトル成分を差分符号化するのに使用される垂直動きベクトル成分を決定するための手段、
のうちの少なくとも一つを含み、
前記第１の候補ブロックが、現在の行内の前記現在のブロックの直前の第１のマクロブロックの少なくとも一部であり、
前記第２の候補ブロックが、前の行内の前記現在のブロックの直ぐ上の第２のマクロブロックの少なくとも一部であり、
前記第３の候補ブロックが、前記前の行内の前記第２のマクロブロックの直後の第３のマクロブロックの少なくとも一部であり、
前記第１、第２及び第３の候補ブロック及び前記現在のブロックのうちの少なくとも一つが、フィールド符号化される、
ところの装置。
【請求項４６】
請求項４５に記載の装置であって、
前記現在のブロックが、プログレッシブ符号化又はアドバンスド予測符号化ブロックであり、
前記候補ブロックの少なくとも一つが、第１及び第２フィールドを有するフィールド符号化候補マクロブロックであり、前記第１及び第２フィールドの各々が、水平及び垂直動きベクトル成分を有する、
ところの装置。
【請求項４７】
請求項４６に記載の装置であって、
前記現在のマクロブロックの前記第１フィールドの水平動きベクトル成分を符号化するのに使用される水平動きベクトル成分が、（i）前記少なくとも一つのフィールド符号化候補マクロブロック以外の前記候補ブロックの水平動きベクトル成分、及び（ii）前記少なくとも一つのフィールド符号化候補マクロブロックの第１フィールドの水平動きベクトル成分、の中央値に従って決定され、
前記現在のマクロブロックの前記第２フィールドの水平動きベクトル成分を符号化するのに使用される水平動きベクトル成分が、（i）前記少なくとも一つのフィールド符号化候補マクロブロック以外の前記候補ブロックの水平動きベクトル成分、及び（ii）前記少なくとも一つのフィールド符号化候補マクロブロックの第２フィールドの水平動きベクトル成分、の中央値に従って決定され、
前記現在のマクロブロックの前記第１フィールドの垂直動きベクトル成分を符号化するのに使用される垂直動きベクトル成分が、（i）前記少なくとも一つのフィールド符号化候補マクロブロック以外の前記候補ブロックの垂直動きベクトル成分、及び（ii）前記少なくとも一つのフィールド符号化候補マクロブロックの第１の垂直動きベクトル成分、の中央値に従って決定され、
前記現在のマクロブロックの前記第２フィールドの垂直動きベクトル成分を符号化するのに使用される垂直動きベクトル成分が、（i）前記少なくとも一つのフィールド符号化候補マクロブロック以外の前記候補ブロックの垂直動きベクトル成分、及び（ii）前記少なくとも一つのフィールド符号化候補マクロブロックの第２フィールドの垂直動きベクトル成分、の中央値に従って決定される、
ところの装置。
【請求項４８】
請求項４６に記載の装置であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化するための手段であって、
前記現在のマクロブロックの少なくとも一つの前記第１及び第２フィールドの水平動きベクトル成分を差分符号化するのに使用される水平動きベクトル成分が、（i）前記少なくとも一つのフィールド符号化候補マクロブロック以外の前記候補ブロックの水平動きベクトル成分、及び（ii）前記少なくとも一つの対応する平均化水平動きベクトル成分、の中央値に従って決定される、
ところの手段、及び
少なくとも一つの対応する平均化垂直動きベクトル成分を得るために、少なくとも一つのフィールド符号化候補マクロブロックのそれぞれの第１及び第２フィールド垂直動きベクトル成分を平均化するための手段であって、
前記現在のマクロブロックの少なくとも一つの前記第１及び第２フィールドの垂直動きベクトル成分を差分符号化するのに使用される垂直動きベクトル成分が、（i）前記少なくとも一つのフィールド符号化候補マクロブロック以外の前記候補ブロックの垂直動きベクトル成分、及び（ii）前記少なくとも一つの対応する平均化垂直動きベクトル成分、の中央値に従って決定される、
ところの手段、
を含むところの装置。
【請求項４９】
請求項４８に記載の装置であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの装置。
【請求項５０】
請求項４５に記載の装置であって、
前記現在のブロックが、第１及び第２フィールドを有するフィールド符号化マクロブロックであり、前記第１及び第２フィールドの各々が、水平及び垂直動きベクトル成分を有し、
当該装置が、さらに、
前記第１、第２及び第３の候補ブロックの水平動きベクトル成分に基づいた値に従って前記現在のフィールド符号化マクロブロックの前記第１及び第２フィールドの前記水平動きベクトル成分を差分符号化するのに使用される水平動きベクトル成分を決定するための手段、及び
前記第１、第２及び第３の候補ブロックの垂直動きベクトル成分に基づいた値に従って前記現在のフィールド符号化マクロブロックの前記第１及び第２フィールドの前記垂直動きベクトル成分を差分符号化するのに使用される垂直動きベクトル成分を決定するための手段、
を含むところの装置。
【請求項５１】
請求項５０に記載の装置であって、
少なくとも一つの前記候補ブロックが、第１及び第２フィールドを有するフィールド符号化マクロブロックであり、前記第１及び第２フィールドの各々が、水平及び垂直動きベクトル成分を有する、
ところの装置。
【請求項５２】
請求項５１に記載の装置であって、
前記現在のフィールド符号化マクロブロックの少なくとも一つの前記第１及び第２フィールドの前記水平動きベクトル成分を差分符号化するのに使用される水平動きベクトル成分が、前記少なくとも一つのフィールド符号化候補マクロブロックの前記第１及び第２フィールドの前記対応する水平動きベクトル成分を含む、前記候補ブロックの水平動きベクトル成分の中央値に従って決定され、
前記現在のフィールド符号化マクロブロックの少なくとも一つの前記第１及び第２フィールドの前記垂直動きベクトル成分を差分符号化するのに使用される前記垂直動きベクトル成分が、前記少なくとも一つのフィールド符号化候補マクロブロックの前記第１及び第２フィールドの前記対応する垂直動きベクトル成分を含む、前記候補ブロックの垂直動きベクトル成分の中央値に従って決定される、
ところの装置。
【請求項５３】
請求項５１又は５２に記載の装置であって、さらに、
少なくとも一つの対応する平均化水平動きベクトル成分を得るために、少なくとも一つのフィールド符号化候補マクロブロックのそれぞれの第１及び第２フィールド水平動きベクトル成分を平均化するための手段であって、
前記現在のフィールド符号化マクロブロックの前記第１及び第２フィールドの前記水平動きベクトル成分を差分符号化するのに使用される前記水平動きベクトル成分が、前記少なくとも一つのフィールド符号化候補マクロブロック以外の前記候補ブロックの水平動きベクトル成分、及び前記少なくとも一つの対応する平均化水平動きベクトル成分、の中央値に従って決定される、
ところの手段、及び
少なくとも一つの対応する平均化垂直動きベクトル成分を得るために、少なくとも一つのフィールド符号化候補マクロブロックのそれぞれの第１及び第２フィールド垂直動きベクトル成分を平均化するための手段であって、
前記現在のフィールド符号化マクロブロックの前記第１及び第２フィールドの前記垂直動きベクトル成分を差分符号化するのに使用される前記垂直動きベクトル成分が、前記少なくとも一つのフィールド符号化候補マクロブロック以外の前記候補ブロックの垂直動きベクトル成分、及び前記少なくとも一つの対応する平均化垂直動きベクトル成分、の中央値に従って決定される、
ところの手段、
を含むところの装置。
【請求項５４】
請求項５３に記載の装置であって、
すべてのフラクション画素オフセットが半画素変位でマッピングされるように、少なくとも一つのフィールド符号化候補マクロブロックの第１及び第２フィールド水平動きベクトル成分が平均化され、
すべてのフラクション画素オフセットが半画素変位でマッピングされるように、少なくとも一つのフィールド符号化候補マクロブロックの第１及び第２フィールド垂直動きベクトル成分が平均化される、
ところの装置。
【請求項５５】
請求項４５から５２のいずれかに記載の装置であって、
前記現在のブロックの前記水平動きベクトル成分を差分符号化するのに使用される水平動きベクトル成分が、前記第１、第２及び第３の候補ブロックの水平動きベクトル成分の中央値に従って決定され、
前記現在のブロックの前記垂直動きベクトル成分を差分符号化するのに使用される垂直動きベクトル成分が、前記第１、第２及び第３の候補ブロックの水平動きベクトル成分の中央値に従って決定される、
ところの装置。
【請求項５６】
請求項４５から５５のいずれかに記載の装置であって、さらに、
候補ブロックに関連した前記水平及び垂直動きベクトル成分を回復するべく、前記第１、第２及び第３の候補ブロックを復号化するためのデコーダ、を含むところの装置。
【請求項５７】
請求項４５から５６のいずれかに記載の装置であって、さらに、
前記現在のブロックがフィールド符号化されたか否かを示す前記少なくとも一つの差分符号化動きベクトル成分とともに伝送されたデータを回復するための手段を含むところの装置。
【請求項５８】
請求項５７に記載の装置であって、
前記現在のブロックの動きベクトル成分を差分符号化するのに使用される動きベクトル成分と同一であるように、前記符号化のモードが、前記第１、第２及び第３の候補ブロックの一つの動きベクトル成分を指定する、ところの装置。
【請求項５９】
デジタルビデオイメージが行ごとに処理されるマクロブロックを含むところの、請求項４５から５８のいずれかに記載の装置であって、さらに、
関連した前記水平及び垂直動きベクトル成分を回復するために、前記前の行内の前記第２及び第３マクロブロックを処理するための手段、
前記第２及び第３マクロブロックに関連した前記水平及び垂直動きベクトル成分を保存するための手段、
関連した前記水平及び垂直動きベクトル成分を回復するために、前記現在の行内の前記第１マクロブロックを処理するための手段、及び
前記決定手段の少なくとも一つにより使用するために前記第２及び第３マクロブロックに関連した前記水平及び垂直動きベクトル成分をその後検索するための手段、
を含むところの装置。
【請求項６０】
パッディングされた参照フィールドオブジェクト平面(VOP)を与えるべく、インターリーブした順序で保持されたトップ及びボトムフィールド画素ラインから成るフィールド符号化VOPを含むデジタルビデオイメージをパッディングするための装置であって、
前記VOPは、前記VOPの境界画素の外側の画素を含む領域内に少なくとも一部が保持されており、
当該装置が、
前記トップフィールド画素ラインから成るトップフィールドブロックと、前記ボトムフィールド画素ラインから成るボトムフィールドブロックとを与えるために、前記インターリーブした順序の前記トップ及びボトムフィールド画素ラインを処理するための手段、及び
それぞれのトップ及びボトムフィールドブロック内で前記外側の画素を別々にパッディングするための手段、
を含む装置。
【請求項６１】
パッディングされた参照ビデオオブジェクト平面(VOP)を与えるべく、インターリーブした順序で保持されたトップ及びボトムフィールド画素ラインから成るフィールド符号化VOPを含むパッディングされたデジタルビデオイメージを回復するためのデコーダであって、前記VOPは前記VOPの境界画素の外側の画素を含む領域内に少なくとも一部が保持されており、当該デコーダは、
それぞれのトップ及びボトムフィールドブロック内で別々にパッディングされた外側の画素を検出するための検出器から成り、前記トップ及びボトムフィールドブロックは前記インターリーブした順序から並べ替えられたトップ及びボトムフィールド画素ラインを表し、前記トップフィールドブロックは前記トップフィールド画素ラインの並べ替えられたデータから成り、前記ボトムフィールドブロックは前記ボトムフィールド画素ラインの並べ替えられたデータから成る、ところのデコーダ。
【請求項６２】
請求項６１に記載のデコーダであって、他のVOPの動き予測用に前記パッディングされた参照VOPを使用するための手段が与えられる、ところのデコーダ。
【請求項６３】
パッディングされた参照ビデオオブジェクト平面(VOP)を与えるべく、インターリーブした順序で保持されたトップ及びボトムフィールド画素ラインを有するフィールド符号化VOPを含むパッディングされたデジタルビデオイメージを運ぶ信号であって、前記VOPは、前記VOPの境界画素の外側の画素を含む領域内に少なくとも一部が保持されており、前記信号は、
前記インターリーブした順序から並べ替えられたトップフィールド画素ラインから成るトップフィールドブロックと、
前記インターリーブした順序から並べ替えられたボトムフィールド画素ラインから成るボトムフィールドブロックと、
それぞれの前記トップ及びボトムフィールドブロック内で別々にパッディングされた外側の画素と、
を含む信号。
【請求項６４】
水平及び垂直動きベクトル成分がデジタルビデオイメージの現在のブロックの水平及び垂直動きベクトル成分を差分符号化するのに使用される装置で使用するための通信信号であって、
第１、第２及び第３の候補ブロックは関連する水平及び垂直動きベクトル成分を有し、
前記第１の候補ブロックは現在の行内の前記現在のブロックの直前の第１マクロブロックの少なくとも一部であり、
前記第２の候補ブロックは前の行内の前記現在のマクロブロックのすぐ上の第２マクロブロックの少なくとも一部であり、
前記第３の候補ブロックは前の行内の前記第２マクロブロックの直後の第３マクロブロックの少なくとも一部であり、
前記第１、第２、第３の候補ブロック及び前記現在のブロックの少なくとも一つはフィールド符号化され、
前記通信信号は、
前記第１、第２及び第３の候補ブロックの水平動きベクトル成分から導出された値に従って前記現在のブロックの水平動きベクトル成分を差分符号化するのに使用される選択された水平動きベクトル成分と、
前記第１、第２及び第３の候補ブロックの垂直動きベクトル成分から導出された値に従って前記現在のブロックの垂直動きベクトル成分を差分符号化するのに使用される選択された垂直動きベクトル成分と、
の少なくとも一つを含む、ところの通信信号。
【請求項６５】
請求項６４に記載の信号であって、さらに前記現在のブロックがフィールド符号化されたかどうかを示すデータを含む、ところの信号。
【請求項６６】
請求項６５に記載の信号であって、前記データは選択された水平動きベクトル成分及び選択された垂直動きベクトル成分の少なくとも一つに与えられる、ところの信号。
【請求項６７】
請求項６５に記載の信号であって、選択された水平動きベクトル成分及び選択された垂直動きベクトル成分の両方を含むところの信号。
【請求項６８】
パッディングされた参照ビデオオブジェクト平面(VOP)を与えるべく、インターリーブした順序で保持されたトップ及びボトムフィールド画素ラインを有するフィールド符号化VOPを含むパッディングされたデジタルビデオイメージ信号を運ぶ通信チャネルであって、前記VOPは、前記VOPの境界画素の外側の画素を含む領域内に少なくとも一部が保持されており、前記信号は、
前記インターリーブした順序から並べ替えられたトップフィールド画素ラインから成るトップフィールドブロックと、
前記インターリーブした順序から並べ替えられたボトムフィールド画素ラインから成るボトムフィールドブロックと、
前記トップ及びボトムフィールドブロックのそれぞれの内部で別々にパッディングされた外側の画素と、
を含むところの通信チャネル。
【請求項６９】
水平及び垂直動きベクトル成分がデジタルビデオイメージの現在のブロックの水平及び垂直動きベクトル成分のそれぞれを差分符号化するために使用されるところの装置で使用する信号を運ぶ通信チャネルであって、
第１、第２及び第３の候補ブロックは関連する水平及び垂直動きベクトル成分を有し、
前記第１の候補ブロックは現在の行内の前記現在のブロックの直前の第１マクロブロックの少なくとも一部であり、
前記第２の候補ブロックは前の行内の前記現在のマクロブロックのすぐ上の第２マクロブロックの少なくとも一部であり、
前記第３の候補ブロックは前の行内の前記第２マクロブロックの直後の第３マクロブロックの少なくとも一部であり、
前記第１、第２、第３の候補ブロック及び前記現在のブロックの少なくとも一つはフィールド符号化され、
前記通信信号は、
前記第１、第２及び第３の候補ブロックの水平動きベクトル成分から導出された値に従って前記現在のブロックの水平動きベクトル成分を差分符号化するのに使用される選択された水平動きベクトル成分と、
前記第１、第２及び第３の候補ブロックの垂直動きベクトル成分から導出された値に従って前記現在のブロックの垂直動きベクトル成分を差分符号化するのに使用される選択された垂直動きベクトル成分と、
の少なくとも一つを含むところの通信チャネル。